(57)【要約】【課題】空気調和機におけるエアフィルタ清掃機構の効果を最大化することを目的とする。【解決手段】エアフィルタ９０１，９０２の自動清掃において清掃効果を最大とする為に、エアフィルタの清掃開始信号が出されると共に、ファン１００３を停止させることで、ファン１００３の吸引力によりエアフィルタ９０１，９０２に塵埃が吸い寄せられことでの、吸引ノズル９０３の吸引性能が低下するのを防止し、清掃能力を最大限にする空気調和機を得ることが可能となるものである。【選択図】図１
2006132863.tif 000002
【特許請求の範囲】
【請求項１】
空気中の塵埃を捕集するエアフィルタと、前記エアフィルタに沿って移動可能な吸引ノズルと、その吸引ノズルの吸引孔から吸引した塵埃を排出する機能を有し、ごみ吸引部での清掃作業中か否かによってエアコン本体のファンの運転を停止させる手段を具備した空気調和機。
【請求項２】
空気中の塵埃を捕集するエアフィルタと、前記エアフィルタに沿って移動可能な吸引ノズルと、その吸引ノズルの吸引孔から吸引した塵埃を排出する機能を有し、ごみ吸引部での清掃作業中か否かによってエアコン本体のファンの回転数に応じて吸引装置の出力をコントロールする手段を具備した空気調和機。
【請求項３】
空気中の塵埃を捕集するエアフィルタと、前記エアフィルタに沿って移動可能な吸引ノズルと、その吸引ノズルの吸引孔から吸引した塵埃を排出する機能を有し、ごみ吸引部での清掃作業中か否かによってエアコン本体の可動パネルを停止位置に戻す手段を具備した空気調和機。
【請求項４】
空気中の塵埃を捕集するエアフィルタと、前記エアフィルタに沿って移動可能な吸引ノズルと、その吸引ノズルの吸引孔から吸引した塵埃を排出する機能を有し、ごみ吸引部での清掃作業中か否かによってエアコン本体の上下羽根を閉じる手段を具備した空気調和機。
【請求項５】
空気中の塵埃を捕集するエアフィルタと、前記エアフィルタに沿って移動可能な吸引ノズルと、その吸引ノズルの吸引孔から吸引した塵埃を排出する機能を有し、ごみ吸引部での清掃作業中か否かによってエアコン本体のファンを停止すると共に圧縮機を停止させる手段を具備した空気調和機。
【請求項６】
空気中の塵埃を捕集するエアフィルタと、前記エアフィルタに沿って移動可能な吸引ノズルと、その吸引ノズルの吸引孔から吸引した塵埃を排出する機能を有し、清掃機能が開始されて何分経過したか否かによって圧縮機を運転させる手段を具備した空気調和機。
【請求項７】
空気中の塵埃を捕集するエアフィルタと、前記エアフィルタに沿って移動可能な吸引ノズルと、その吸引ノズルの吸引孔から吸引した塵埃を排出する機能を有し、かつ吸引部での清掃作業が左右往復動作をもって一動作とする場合において、吸引ノズルの位置が左端に来ているか否かによって、圧縮機の運転を開始させる手段を具備した空気調和機。
【請求項８】
空気中の塵埃を捕集するエアフィルタと、前記エアフィルタに沿って移動可能な吸引ノズルと、その吸引ノズルの吸引孔から吸引した塵埃を排出する機能を有し、かつ吸引部での清掃作業が左右往復動作をもって一動作とする場合において、左側リミットＳＷがＯＮされたか否かによって、圧縮機の運転を開始させる手段を具備した空気調和機。
【発明の詳細な説明】
【技術分野】
【０００１】
本発明は空気調和機に関するものであり、さらに具体的にはエアフィルタの自動清掃に関するものである。
【背景技術】
【０００２】
従来、空気調和機は、図１０に示すように、ファン１００３によって吸込んだ空気を熱交換器１００２で冷却もしくは加熱した後、室内へ送風する空気調和機１００６には、吸込む空気に漂う塵埃が空気調和機の本体内部へ侵入することを防ぐため、空気調和機の吸込口裏面で熱交換器１００２の前面にエアフィルタ９０２が設けられている。このエアフィルタの上を移動自在のごみ吸引部によりエアフィルタに付着した塵埃を吸引装置にて吸引することで除去するものがあった（例えば、特許文献１参照）。
【特許文献１】特開２００２−３４０３９５号公報
【発明の開示】
【発明が解決しようとする課題】
【０００３】
しかしながら、公知技術の自動のエアフィルタ清掃装置では塵埃の吸引性能の確保については考慮されておらず、吸引装置の出力を増大させるしか術がない状態であった。
【０００４】
本発明はこれらの課題を鑑み、塵埃の吸引性能を確保すると共に、ごみを自動的に清掃するフィルタ清掃機能付の空気調和機を提供することを目的とする。
【課題を解決するための手段】
【０００５】
本発明は、前記従来の課題を解決するために、送風機構と空気中の塵埃を捕集するエアフィルタと、前記エアフィルタに沿って移動可能な吸引ノズルを有し、吸引ノズルの吸引孔から吸引した塵埃を排出する機能を有する空気調和機において、前記ごみ吸引部での清掃作業中はエアコン本体のファンの運転を停止させることで、吸引装置の出力を上げることなく、清掃性能を確保する事ができる。
【０００６】
また、本発明の空気調和機は、前記ごみ吸引部での清掃作業中は、エアコン本体のファンの回転数に応じて吸引装置の出力をコントロールすることで、必要以上に吸引装置の出力を上げることなく、清掃性能を確保する事ができる。
【０００７】
また、本発明の空気調和機は、前記ごみ吸引部での清掃作業中は、エアコンの可動パネルを停止位置に戻すことで、ファンが止まっているのに対し、パネルが開いているという違和感を防止すると共に、清掃作業中の音の漏れを抑制する事が出来る。
【０００８】
また、本発明の空気調和機は、前記ごみ吸引部での清掃作業中は、エアコンの上下羽根を閉じる事で、ファンが止まっているのに対し、羽根が開いているという違和感を防止すると共に、清掃作業中の音の漏れを抑制する事が出来る。
【０００９】
また、本発明の空気調和機は、前記ごみ吸引部での清掃作業中は、エアコンの圧縮機の運転を停止することで、ファンが止まっているのに対し、圧縮機が回るということでの信頼性上の課題が生じるのを防止することが出来る。
【００１０】
また、本発明の空気調和機は、前記ごみ吸引部での清掃作業開始からｎ分経過後に、エアコンの圧縮機の運転を開始することで、掃除作業中の間ずっと圧縮機を停止する事でのエアコン立上げ特性が悪化するという不具合を生じるのを最小限とする事を可能にしたも
のである。
【００１１】
また、本発明の空気調和機は、前記ごみ吸引部での清掃作業を左右往復動作をもって一動作とする場合において、片側の清掃が終わった時点でエアコンの圧縮機の運転を開始することで、掃除作業中の間ずっと圧縮機を停止する事でのエアコン立上げ特性が悪化するという不具合を生じるのを最小限とする事を可能にしたものである。
【００１２】
また、本発明の空気調和機は、前記ごみ吸引部での清掃作業を左右往復動作をもって一動作とする場合において、片側のリミットｓｗが入った時点でエアコンの圧縮機の運転を開始することで、掃除作業中の間ずっと圧縮機を停止する事でのエアコン立上げ特性が悪化するという不具合を生じるのを最小限とする事を可能にしたものである。
【発明の効果】
【００１３】
本発明の空気調和機は、本発明は定期的なメンテナンスを要せず、容易にエアフィルタの清掃を行うとともに、ユーザーの利便性を向上させることができる。
【発明を実施するための最良の形態】
【００１４】
第１の発明は、送風機構と空気中の塵埃を捕集するエアフィルタと、前記エアフィルタに沿って移動可能な吸引ノズルを有し、吸引ノズルの吸引孔から吸引した塵埃を排出する機能を有する空気調和機において、前記ごみ吸引部での清掃作業中はエアコン本体のファンの運転を停止させることで、吸引装置の出力を上げることなく、清掃性能を確保する事ができる。
【００１５】
第２の発明は、前記ごみ吸引部での清掃作業中は、エアコン本体のファンの回転数に応じて吸引装置の出力をコントロールすることで、必要以上に吸引装置の出力を上げることなく、清掃性能を確保する事ができる。
【００１６】
第３の発明は、前記ごみ吸引部での清掃作業中は、エアコンの可動パネルを停止位置に戻すことで、ファンが止まっているのに対し、パネルが開いているという違和感を防止すると共に、清掃作業中の音の漏れを抑制する事が出来る。
【００１７】
第４の発明は、前記ごみ吸引部での清掃作業中は、エアコンの上下羽根を閉じる事で、ファンが止まっているのに対し、羽根が開いているという違和感を防止すると共に、清掃作業中の音の漏れを抑制する事が出来る。
【００１８】
第５の発明は、前記ごみ吸引部での清掃作業中は、エアコンの圧縮機の運転を停止することで、ファンが止まっているのに対し、圧縮機が回るということでの信頼性上の課題が生じるのを防止することが出来る。
【００１９】
第６の発明は、前記ごみ吸引部での清掃作業開始からｎ分経過後に、エアコンの圧縮機の運転を開始することで、掃除作業中の間ずっと圧縮機を停止する事でのエアコン立上げ特性が悪化するという不具合を生じるのを最小限とする事を可能にしたものである。
【００２０】
第７の発明は、前記ごみ吸引部での清掃作業を左右往復動作をもって一動作とする場合において、片側の清掃が終わった時点でエアコンの圧縮機の運転を開始することで、掃除作業中の間ずっと圧縮機を停止する事でのエアコン立上げ特性が悪化するという不具合を生じるのを最小限とする事を可能にしたものである。
【００２１】
第８の発明は、前記ごみ吸引部での清掃作業を左右往復動作をもって一動作とする場合において、片側のリミットｓｗが入った時点でエアコンの圧縮機の運転を開始することで
、掃除作業中の間ずっと圧縮機を停止する事でのエアコン立上げ特性が悪化するという不具合を生じるのを最小限とする事を可能にしたものである。
【００２２】
以下本発明の実施の形態について図面を参照して説明する。なお、この実施の形態によって本発明が限定されるものではない。
【００２３】
図９は、本発明の実施の形態における空気調和機のエアフィルタ清掃機構を示した図である。この図において熱交換器を通過する空気の塵埃を除去するエアフィルタは、フィルタ枠９０１と、フィルタ網９０２から構成され、そのエアフィルタの表面に沿って移動可能な吸引ノズル９０３が設けられる。吸引ノズル９０３は、エアフィルタと一定の距離を保って円滑に移動することができる。吸引ノズル９０３は吸引装置９０４に連結されており、エアフィルタ上に付着した塵埃は吸引ノズル９０３より吸引される。また吸引ノズルの動作としては一例として左右方向に動作され、その往復動作は９０５のリミットＳＷのＯＮ／ＯＦＦにて確認され、動作方向の切換えが実施される。
【００２４】
また、図１０は空気調和機を示す断面図であり、背景技術で使用した図面であるが、本発明に適用するものである。但し、図９で説明したエアフィルタの清掃機構については省略している。図１０において、エアコン本体の熱交換器１００２の風上側にエアフィルタ枠１００１が構成されている。通常の使用ではファン１００３が運転されることで、風が生じ熱交換が行われる。そしてその風上のエアフィルタにて埃塵が除去され、フィルタ上に蓄積される。また１００４は自動可能な上下羽根であり、１００５は可動パネルを示している。
【００２５】
（実施の形態１）
図１は、本発明の第１の実施の形態における空気調和機のフローチャートを示すものである。
【００２６】
図１において、１０２はフィルタ掃除ＯＮかＯＦＦかの判定手段であり、ＯＮを認識すると１０３にてファンが停止される。その後１０４にて掃除機能がＯＮされ、その後１０５にて掃除機能が終了となる。その終了を認識後に１０６にてファンが再度運転され通常運転へと戻る。つまり、掃除機能が行われている間はファンを停止するものである。吸引方式により塵埃を除去する為、エアコンのファンを運転することで塵埃がフィルタ側に引張られ除去性能を極端に低下させるものである。従って清掃動作中にファンを停止させる事で必要以上に吸引装置の出力を上げることなく、清掃性能を確保する事を可能にしたものである。
【００２７】
（実施の形態２）
図２は、本発明の第２の実施の形態における空気調和機のフローチャートを示すものである。
【００２８】
図２において、２０２はフィルタ掃除ＯＮかＯＦＦかの判定手段であり、ＯＮを認識すると２０３のファン回転数認識手段にてファンの回転数が確認される。そのファンの回転数に応じて２０４，２０５にて吸引装置の出力が決定され、掃除機能が実施されるものである。つまり吸引方式により塵埃を除去する為、エアコンのファンの回転数によってその除去性能が変化する為、その回転数に応じて吸引装置の出力を変化させるものである。従って清掃動作中にファンの出力毎に吸引装置の出力を変化させることで必要以上に吸引装置の出力を上げることなく、清掃性能を確保する事を可能にしたものである。
【００２９】
（実施の形態３）
図３は、本発明の第３の実施の形態における空気調和機のフローチャートを示すもので
ある。
【００３０】
図３において３０２はフィルタ掃除ＯＮかＯＦＦかの判定手段であり、ＯＮを認識すると３０３にて可動パネルが閉じられる。その後３０４にて掃除機能がＯＮされ、その後３０５にて掃除機能が終了となる。その終了を認識後に３０６にて可動パネルが再度開けられ、通常運転へと戻る。つまり、掃除機能が行われている間は可動パネルが閉じられるものであり、エアコンの可動パネルを停止位置に戻すことで、ファンが止まっているのに対し、パネルが開いているという違和感を防止すると共に、清掃作業中の音の漏れを抑制する事を可能にしたものである。
【００３１】
（実施の形態４）
図４は、本発明の第４の実施の形態における空気調和機のフローチャートを示すものである。
【００３２】
図４において、４０２はフィルタ掃除ＯＮかＯＦＦかの判定手段であり、ＯＮを認識すると４０３にて上下羽根が閉じられる。その後４０４にて掃除機能がＯＮされ、その後４０５にて掃除機能が終了となる。その終了を認識後に４０６にて上下羽根が再度開けられ、通常運転へと戻る。つまり、掃除機能が行われている間は上下羽根が閉じられるものであり、エアコンの上下羽根を閉じる事で、ファンが止まっているのに対し、羽根が開いているという違和感を防止すると共に、清掃作業中の音の漏れを抑制する事を可能にしたものである。
【００３３】
（実施の形態５）
図５は、本発明の第５の実施の形態における空気調和機のフローチャートを示すものである。
【００３４】
図５において５０２はフィルタ掃除ＯＮかＯＦＦかの判定手段であり、ＯＮを認識すると５０３にてファンが停止される。そのファンが停止されると５０４にて圧縮機が停止される。その後掃除機能が実施され、終了後に５０７にてファン再度運転され、それと同時に５０８にて圧縮機が運転される。つまり、掃除機能が行われている間はファンが停止されると共に併せて圧縮機が停止されるものであり、エアコンの圧縮機の運転を停止することで、ファンが止まっているのに対し、圧縮機が回るということでの信頼性上の課題が生じるのを防止することを可能にしたものである。
【００３５】
（実施の形態６）
図６は、本発明の第６の実施の形態における空気調和機のフローチャートを示すものである。
【００３６】
図６において、６０２はフィルタ掃除ＯＮかＯＦＦかの判定手段であり、ＯＮを認識すると６０３にてファンが停止される。そのファンが停止されると６０４にて圧縮機が停止される。その後掃除機能が実施され、６０６の掃除機能開始後ｎ分経過後判定手段により経過が確認されると圧縮機が運転されるものである。つまり、掃除機能が終了する前のファンが運転される前に圧縮機のみを運転されるものであり、逆に言えば圧縮機の信頼性が保たれる範囲内で内ファンが停止の運転が行われる事となる。結果、清掃作業開始からｎ分経過後にエアコンの圧縮機の運転を開始することで、掃除作業中の間ずっと圧縮機を停止する事でのエアコン立上げ特性が悪化するという不具合を生じるのを最小限とする事を可能にしたものである。
【００３７】
（実施の形態７）
図７は、本発明の第７の実施の形態における空気調和機のフローチャートを示すもので
ある。
【００３８】
図７において、７０２はフィルタ掃除ＯＮかＯＦＦかの判定手段であり、ＯＮを認識すると７０３にてファンが停止される。そのファンが停止されると７０４にて圧縮機が停止される。その後掃除機能が実施され、７０６の吸引ノズルの位置確認手段により左端にノズルがきていることを確認されると圧縮機が運転されるものである。つまり、掃除機能が終了する前のファンが運転される前に圧縮機のみを運転されるものであり、逆に言えば圧縮機の信頼性が保たれる範囲内で内ファンが停止の運転が行われる事となる。結果、吸引ノズルが左端にきてからエアコンの圧縮機の運転を開始することで、掃除作業中の間ずっと圧縮機を停止する事でのエアコン立上げ特性が悪化するという不具合を生じるのを最小限とする事を可能にしたものである。
【００３９】
（実施の形態８）
図８は、本発明の第８の実施の形態における空気調和機のフローチャートを示すものである。
【００４０】
図８において、８０２はフィルタ掃除ＯＮかＯＦＦかの判定手段であり、ＯＮを認識すると８０３にてファンが停止される。そのファンが停止されると８０４にて圧縮機が停止される。その後掃除機能が実施され、８０６の左側リミットＳＷのＯＮが確認されると圧縮機が運転されるものである。つまり、掃除機能が終了する前のファンが運転される前に圧縮機のみを運転されるものであり、逆に言えば圧縮機の信頼性が保たれる範囲内で内ファンが停止の運転が行われる事となる。結果、吸引ノズルが左端にきてからエアコンの圧縮機の運転を開始することで、掃除作業中の間ずっと圧縮機を停止する事でのエアコン立上げ特性が悪化するという不具合を生じるのを最小限とする事を可能にしたものである。
【産業上の利用可能性】
【００４１】
以上のように、本発明にかかる空気調和機は、定期的なメンテナンスを要せず、容易にエアフィルタの清掃を行う際に、その効果を最大限のものとすると共に、圧縮機の信頼性を確保する事が出来るとともに、種々の空気調和機に適用できる。
【図面の簡単な説明】
【００４２】
【図１】本発明の第１の実施の形態における空気調和機のフローチャート
【図２】本発明の第２の実施の形態における空気調和機のフローチャート
【図３】本発明の第３の実施の形態における空気調和機のフローチャート
【図４】本発明の第４の実施の形態における空気調和機のフローチャート
【図５】本発明の第５の実施の形態における空気調和機のフローチャート
【図６】本発明の第６の実施の形態における空気調和機のフローチャート
【図７】本発明の第７の実施の形態における空気調和機のフローチャート
【図８】本発明の第８の実施の形態における空気調和機のフローチャート
【図９】本発明が適用する空気調和機のエアフィルタ清掃機構を示す斜視図
【図１０】本発明が適用する空気調和機の断面図
【符号の説明】
【００４３】
９０１  フィルタ枠
９０２  フィルタ網
９０３  吸引ノズル
９０４  吸引装置
９０５  リミットＳＷ
１００１  フィルタ枠
１００２  熱交換器
１００３  ファン
１００４  上下羽根
１００５  可動パネル
【図１】
2006132863.tif 000003
【図２】
2006132863.tif 000004
【図３】
2006132863.tif 000005
【図４】
2006132863.tif 000006
【図５】
2006132863.tif 000007
【図６】
2006132863.tif 000008
【図７】
2006132863.tif 000009
【図８】
2006132863.tif 000010
【図９】
2006132863.tif 000011
【図１０】
2006132863.tif 000012